(57)【特許請求の範囲】
【請求項１】
カラオケ実演収録データからダイジェストデータを抽出するためのシステムであって、
握力検出手段と、握力検出値記憶手段と、実演データ取得手段と、実演データ収録手段と、ダイジェストデータ抽出手段と、を備え、
前記握力検出手段は、マイクロホンのグリップ部に設けられた圧力検出部からの測定値に基づき、当該マイクロホンを使用する利用者の握力を検出し、
前記握力検出値記憶手段は、任意の楽曲が演奏された際に、前記握力検出手段における握力検出値を、当該楽曲の演奏開始からの時系列に対応付けて、握力検出値記憶部に記憶させ、
前記実演データ取得手段は、少なくとも利用者の歌唱音声を実演データとして取得し、
前記実演データ収録手段は、任意の楽曲が演奏された際に、前記実演データ取得手段により取得した実演データを、当該楽曲の演奏開始からの時系列に対応付けて、実演データ収録部に収録させ、
前記ダイジェストデータ抽出手段は、前記実演データ収録部に収録された任意の楽曲の実演データについて、当該楽曲の歌唱区間と非歌唱区間とを時系列に対応付けると共に、前記握力検出値記憶部に記憶された握力検出値を参照し、握力検出値が上位である所定数の歌唱区間を判別し、当該歌唱区間に時系列に対応する実演データをダイジェストデータとして抽出する、
ことを特徴とするカラオケ実演収録データからのダイジェストデータ抽出システム。
【請求項２】
カラオケ実演収録データからダイジェストデータを抽出するためのシステムであって、
握力検出手段と、握力検出値記憶手段と、実演データ取得手段と、実演データ収録手段と、ダイジェストデータ抽出手段と、を備え、
前記握力検出手段は、マイクロホンのグリップ部に設けられた圧力検出部からの測定値に基づき、当該マイクロホンを使用する利用者の握力を検出し、
前記握力検出値記憶手段は、任意の楽曲が演奏された際に、前記握力検出手段における握力検出値を、当該楽曲の演奏開始からの時系列に対応付けて、握力検出値記憶部に記憶させ、
前記実演データ取得手段は、少なくとも利用者の歌唱音声を実演データとして取得し、
前記実演データ収録手段は、任意の楽曲が演奏された際に、前記実演データ取得手段により取得した実演データを、当該楽曲の演奏開始からの時系列に対応付けて、実演データ収録部に収録させ、
前記ダイジェストデータ抽出手段は、前記実演データ収録部に収録された任意の楽曲の実演データについて、当該楽曲の歌唱区間と非歌唱区間とを時系列に対応付けると共に、前記握力検出値記憶部に記憶された握力検出値を参照し、任意の歌唱区間における握力検出値と、前後の歌唱区間における握力検出値の平均値とを比較し、握力検出値の増加分が相対的に高い歌唱区間を判別し、当該歌唱区間に時系列に対応する実演データをダイジェストデータとして抽出する、
ことを特徴とするカラオケ実演収録データからのダイジェストデータ抽出システム。
【発明の詳細な説明】
【技術分野】
【０００１】
本発明は、カラオケ演奏端末を利用する利用者の実演データを収録し、収録した実演データからダイジェストデータを抽出するためのダイジェストデータ抽出システムに関するものである。
【背景技術】
【０００２】
近年、カラオケ演奏端末における歌唱状況を撮影して、その実演収録データをカラオケ演奏端末にネットワーク接続されたサーバで管理すると共に、インターネット等を利用して利用者の自宅等に設置されたパーソナルコンピュータを当該サーバに接続し、当該サーバで管理されている実演収録データを視聴できるようにしたサービスが提供されている（特許文献１参照）。
【０００３】
このように、カラオケ演奏端末の実演収録データを視聴する視聴者の嗜好は様々であり、サーバで管理された複数の実演収録データが何ら整理されていない場合には、所望の実演収録データを探し出すことが容易ではない。そこで、複数の実演収録データの内容を容易に把握することができる仕組みが必要である。例えば、複数の画像の中から所望の画像を選択させる場合には、各画像を縮小して一覧表示（サムネイル表示）することが一般的である。また複数の映像の中から所望の映像を選択させる場合には、各映像のダイジェストを表示することが一般的である。
【０００４】
【特許文献１】特開２００３−１５６５７号公報
【発明の開示】
【発明が解決しようとする課題】
【０００５】
カラオケ演奏端末を利用した実演収録データからダイジェストを作成する場合に、利用者が歌唱していない部分（例えば、前奏、間奏、後奏）を切り出したのでは、利用者の歌唱状況を示していないので、ダイジェストとして不適である。また、歌唱採点が高得点となっている部分を切り出すことも考えられるが、歌唱得点が高得点となっている部分が必ずしも当該楽曲の代表的な歌唱部分であるとは言えない場合がある。
【０００６】
そこで、各楽曲の歌唱状況を端的に示している部分として、歌唱の最中に特に盛り上がっている部分をダイジェストとして切り出すことが好ましい。すなわち、歌唱者が熱の入った歌唱を行っている部分が、ダイジェストとして最適な部分であると考えられる。しかしながら、多数の実演収録データの中から、歌唱者が熱の入った歌唱を行っている部分を人為的に切り出すことは極めて困難である。
【０００７】
ところで、一般的に、歌唱者が熱の入った歌唱を行う場合に、マイクロホンを強く握る傾向があることが知られている。例えば、特許第３５６４７７５号公報には、特に演歌に見られるビブラートは歌唱者が力を入れる場面で多いことに鑑み、マイクロホンを握る握力を検知し、握力が予め定めた閾値を超えると、自動的に歌声をビブラート変換する技術が開示されている。本発明は、この点に着目して、実演収録データからダイジェストデータを抽出する際に、人為的な判断を必要とせず、自動的にダイジェストとして最適なデータを抽出することが可能なダイジェストデータ抽出システムを提供することを目的とする。
【課題を解決するための手段】
【０００８】
本発明のカラオケ実演収録データからのダイジェストデータ抽出システムは、上述した目的を達成するために、握力検出手段と、握力検出値記憶手段と、実演データ取得手段と、実演データ収録手段と、ダイジェストデータ抽出手段と、を備えたことを特徴とするものである。
【０００９】
握力検出手段は、マイクロホンのグリップ部に設けられた圧力検出部からの測定値に基づき、当該マイクロホンを使用する利用者の握力を検出するための手段である。握力検出値記憶手段は、任意の楽曲が演奏された際に、握力検出手段における握力検出値を、当該楽曲の演奏開始からの時系列に対応付けて、握力検出値記憶部に記憶させるための手段である。実演データ取得手段は、少なくとも利用者の歌唱音声を実演データとして取得するための手段である。実演データ収録手段は、任意の楽曲が演奏された際に、実演データ取得手段により取得した実演データを、当該楽曲の演奏開始からの時系列に対応付けて、実演データ収録部に収録させるための手段である。ダイジェストデータ抽出手段は、実演データ収録部に収録された任意の楽曲の実演データについて、当該楽曲の歌唱区間と非歌唱区間とを時系列に対応付けると共に、握力検出値記憶部に記憶された握力検出値を参照し、握力検出値が上位である所定数の歌唱区間を判別し、当該歌唱区間に時系列に対応する実演データをダイジェストデータとして抽出するための手段である。
【００１０】
また、ダイジェストデータ抽出手段は、実演データ収録部に収録された任意の楽曲の実演データについて、当該楽曲の歌唱区間と非歌唱区間とを時系列に対応付けると共に、握力検出値記憶部に記憶された握力検出値を参照し、任意の歌唱区間における握力検出値と、前後の歌唱区間における握力検出値の平均値とを比較し、握力検出値の増加分が相対的に高い歌唱区間を判別し、当該歌唱区間に時系列に対応する実演データをダイジェストデータとして抽出するための手段としても機能する。
【００１１】
ここで、握力を測定するための圧力検出部は、例えばマイクロホンに取り付けた圧力センサにより構成される。また、実演データとは、ビデオカメラにより撮影された歌唱映像データや、マイクロホンにより録音された歌唱音声データのことである。したがって、実演データ取得手段は、例えばビデオカメラやマイクロホンをその構成要素とする。なお、実演データは、歌唱映像データを含まずに歌唱音声データのみとすることもできる。
【発明の効果】
【００１２】
本発明のカラオケ実演収録データからのダイジェストデータ抽出システムでは、実演収録データを歌唱区間と非歌唱区間とに分けると共に、各歌唱区間における握力検出値に基づく判別を行い、予め定めた条件に合致する歌唱区間に時系列的に対応した実演データをダイジェストデータとして抽出する。
したがって、人為的な判断を必要とせず、歌唱者が熱の入った歌唱を行う可能性が高い歌唱区間における実演データをダイジェストデータとして自動的に抽出することが可能となる。また、歌唱区間における実演データを抽出し、非歌唱区間における実演データは抽出しないので、適切なダイジェストを作成することができる。
【発明を実施するための最良の形態】
【００１３】
＜ダイジェストデータ抽出システムの概要＞
以下、図面を参照して本発明のカラオケ実演収録データからのダイジェストデータ抽出システム（以下、ダイジェストデータ抽出システムと略記する）の実施形態を説明する。図１は、本発明の実施形態に係るダイジェストデータ抽出システムを組み込んだカラオケシステムの概略構成を示すブロック図である。
【００１４】
本発明の実施形態に係るダイジェストデータ抽出システムは、図１に示すように、通信ネットワークを利用したカラオケシステムと共に構築されるシステムであり、複数のカラオケ演奏端末１１が通信ネットワーク１２ａを介してホスト装置１３と相互に接続されると共に、他の通信ネットワーク１２ｂを介して実演収録サーバ１４に接続されている。また、実演収録サーバ１４は、さらに他の通信ネットワーク１２ｃを介して各利用者の自宅等に設置されたパーソナルコンピュータ（ＰＣ）１５に接続されている。
【００１５】
通信ネットワーク１２ａ、１２ｂ、１２ｃは、公衆電話回線、専用電話回線、光通信回線、ＬＡＮ、インターネット回線等を用いることができる。この場合、通信ネットワーク１２ａと通信ネットワーク１２ｂとを共通のネットワークとして構築してもよい。また、実演収録サーバ１４とパーソナルコンピュータ１５とを接続する通信ネットワーク１２ｃは、汎用性が高いという点でインターネット回線を利用することが好ましい。
【００１６】
本発明の実施形態に係るダイジェストデータ抽出システムは、握力検出手段３１と、握力検出値記憶手段４４と、実演データ取得手段３２と、実演データ取得手段３２の構成要素として機能するマイクロホン３２ａ及びビデオカメラ３２ｂと、実演データ収録手段４５と、ダイジェストデータ抽出手段４６と、を備えている。握力検出手段３１、実演データ取得手段３２、マイクロホン３２ａ、ビデオカメラ３２ｂは、カラオケ演奏端末１１と共に構成される手段であり、握力検出値記憶手段４４、実演データ収録手段４５、ダイジェストデータ抽出手段４６は、実演収録サーバ１４の構成要素となる手段である。各手段については、後に詳述する。
【００１７】
＜実演収録サーバ＞
実演収録サーバ１４は、送受信部４１、制御手段４２、データ処理手段４３、握力検出値記憶手段４４、実演データ収録手段４５、ダイジェストデータ抽出手段４６、握力検出値記憶部４７、実演データ収録部４８を備えている。これらの手段のうち、握力検出値記憶手段４４、実演データ収録手段４５、ダイジェストデータ抽出手段４６、握力検出値記憶部４７、実演データ収録部４８が、ダイジェストデータ抽出システムの構成要素として機能する。
【００１８】
＜送受信部／制御手段／データ処理手段＞
送受信部４１は、各カラオケ演奏端末１１との間でデータの送受信を行うための手段であり、通信ネットワーク１２ｂにおける通信方式の整合性を保つための通信回路やソフトウェアにより構成される。制御手段４２は、実演収録サーバ１４を統括的に制御するための手段であり、ＣＰＵ及びその周辺機器を含んで構成され、ＣＰＵ等がＲＯＭ等に格納されたアプリケーションプログラムに従って動作することにより制御機能を発揮するようになっている。データ処理手段４３は、握力検出値記憶手段４４、実演データ収録手段４５、ダイジェストデータ抽出手段４６、握力検出値記憶部４７、実演データ収録部４８にアクセスして、データの抽出、変更、追加、演算を行うためのプログラムからなる。
【００１９】
＜握力検出値記憶手段＞
握力検出値記憶手段４４は、任意の楽曲が演奏された際に、握力検出手段３１における握力検出値を、当該楽曲の演奏開始からの時系列に対応付けて、握力検出値記憶部４７に記憶させるためのプログラムからなる。また、握力検出値記憶部４７は、ＨＤＤ等の大容量記憶装置からなる。
【００２０】
＜実演データ収録手段＞
実演データ収録手段４５は、任意の楽曲が演奏された際に、実演データ取得手段３２により取得した実演データを、当該楽曲の演奏開始からの時系列に対応付けて、実演データ収録部４８に収録させるためのプログラムからなる。また、実演データ収録部４８は、ＨＤＤ等の大容量記憶装置からなる。
【００２１】
＜ダイジェストデータ抽出手段＞
ダイジェストデータ抽出手段４６は、以下に説明する２つの実施形態として機能させることができる。
第１の実施形態に係るダイジェストデータ抽出手段４６は、実演データ収録部４８に収録された任意の楽曲の実演データについて、当該楽曲の歌唱区間と非歌唱区間とを時系列に対応付けると共に、握力検出値記憶部４７に記憶された握力検出値を参照し、握力検出値が上位である所定数の歌唱区間を判別し、当該歌唱区間に時系列に対応する実演データをダイジェストデータとして抽出するためのプログラムからなる。
【００２２】
第２の実施形態に係るダイジェストデータ抽出手段４６は、実演データ収録部４８に収録された任意の楽曲の実演データについて、当該楽曲の歌唱区間と非歌唱区間とを時系列に対応付けると共に、握力検出値記憶部４７に記憶された握力検出値を参照し、任意の歌唱区間における握力検出値と、前後の歌唱区間における握力検出値の平均値とを比較し、握力検出値の増加分が相対的に高い歌唱区間を判別し、当該歌唱区間に時系列に対応する実演データをダイジェストデータとして抽出するためのプログラムからなる。
【００２３】
なお、握力検出値記憶部４７に記憶された握力検出値は、圧力センサ等からなる圧力検出部３１ａにより測定された値であるため、時系列で変動している。そこで、任意の歌唱区間において、実測握力値を平均して区間平均圧力値を求め、この区間平均圧力値に基づく判別を行うことにより、ダイジェストデータとして相応しい歌唱区間を特定することができる。
【００２４】
＜ホスト装置＞
ホスト装置１３は、複数のカラオケ演奏端末１１を総合的に管理するための装置で、各カラオケ演奏端末１１へのカラオケデータの提供、顧客管理、演奏頻度の統計等、ネットワークカラオケを構築する上で必要な機能を備えている。
【００２５】
＜パーソナルコンピュータ＞
パーソナルコンピュータ１５は、利用者の自宅等に設置されており、インターネット等の通信ネットワーク１２ｃを介して実演収録サーバ１４に接続し、所望の実演データを閲覧したり、取得したりすることができる。また、本実施形態では、所望の実演データを閲覧する際に、各実演データのダイジェストを閲覧可能として、所望の実演データを効率よく探し出すことができるようになっている。
【００２６】
＜カラオケ演奏端末＞
図２は、本発明の実施形態に係るダイジェストデータ抽出システムを適用するカラオケ演奏端末１１の構成を示すブロック図である。本実施形態では、握力検出手段３１、圧力検出部３１ａ、実演データ取得手段３２、マイクロホン３２ａ、ビデオカメラ３２ｂがカラオケ演奏端末１１と共に設置されている。
【００２７】
カラオケ演奏端末１１は、図２に示すように、カラオケ本体２１、遠隔入出力端末２２、ミキシングアンプ２３、スピーカ２４、マイクロホン３２ａ、ビデオカメラ３２ｂ、表示手段２５を備えている。カラオケ本体２１と表示手段２５とは、有線方式又は無線方式により接続されている。
【００２８】
本実施形態では、マイクロホン３２ａのグリップ部に取り付けた圧力センサが圧力検出部３１ａとして機能し、マイクロホン３２ａ及びビデオカメラ３２ｂが実演データ取得手段３２の構成要素として機能する。そして、実演収録サーバ１４に設けた実演データ収録手段４５により、任意の楽曲が演奏された際に、実演データ取得手段３２により取得した実演データを、実演収録サーバ１４に送信し、当該楽曲の演奏開始からの時系列に対応付けて、実演データ収録部４８に収録させる。なお、後に詳述するが、実演データ取得手段３２により取得した実演データは、実演データ一時収録部５７ｄに一時的に収録され、適宜なタイミングで実演収録サーバ１４に送信される。
【００２９】
＜遠隔入出力端末＞
遠隔入出力端末２２は、ユーザインタフェース機能を備えており、カラオケ本体２１のローカル送受信手段５８に対して有線方式又は無線方式によりデータの送受信を行うようになっており、データの送受信を行うための回路基板及びプログラムと、楽曲検索手段２２ａとして機能させるためのプログラムと、楽曲索引データベース２２ｂと、一時記憶領域であるフラッシュメモリ（図示せず）とを備えている。ここで利用される無線方式としては、例えば近接無線通信技術であるｉｒＤＡやbluetooth（登録商標）等を挙げることができる。また、ユーザインタフェース機能として、例えば液晶ディスプレイとタッチセンサとを積層した入出力用表示部（図示せず）を備えており、入出力用表示部に表示されるアイコンや文字列にタッチすることにより、楽曲の選択やデータの入力を行うようになっている。
【００３０】
＜楽曲索引データベース＞
楽曲索引データベース２２ｂは、カラオケ演奏端末１１で演奏に供される楽曲についての属性情報を記述したデータベースであり、楽曲番号・曲名・歌手名・歌い出し部分の歌詞・流行時期・音楽ジャンル区分・デュエット曲か否かなど、種々の属性情報がこれに含まれている。なお、カラオケ演奏端末１１がホスト装置１３と通信を行う際に、適宜なタイミングで楽曲索引データベース２２ｂの内容が最新のものに更新される。
【００３１】
＜カラオケ本体＞
カラオケ本体２１は、バス５１、２つのネットワーク送受信手段５２、５３、中央制御手段５４、ＲＯＭ５５、ＲＡＭ５６、ＨＤＤ５７、ローカル送受信手段５８、予約管理手段５９、音楽曲出力手段６０、Ａ／Ｄコンバータ６１、外部入力インターフェース（外部入力ＩＦ）６２、ビデオ入力インターフェース（ビデオ入力ＩＦ）６３、再生制御手段６４、握力検出手段３１、実演データ取得手段３２を備えている。ＨＤＤ５７には、楽曲データベース５７ａ、映像データベース５７ｂが格納されている。さらに、ＨＤＤ５７は、握力検出値一時記憶部５７ｃ、実演データ一時収録部５７ｄとして機能する。
【００３２】
＜中央制御手段＞
中央制御手段５４は、カラオケ演奏端末１１を総合的に制御するための手段であり、例えばＣＰＵ及びその周辺機器により構成されており、ＣＰＵ等がＲＯＭ５５等に記憶されたアプリケーションプログラムに従って動作することにより、制御機能を発揮することができるようになっている。
【００３３】
＜ＲＯＭ／ＲＡＭ＞
ＲＯＭ５５は、カラオケ演奏端末１１を構成する各機器を制御するためのアプリケーションプログラムデータや数値データを記憶するための機器で、例えば半導体メモリ等で構成される。また、ＲＡＭ５６は、アプリケーションプログラムや種々のデータを一時的に読み込む一時記憶領域として機能するための機器で、例えば半導体メモリ等で構成される。なお、物理的な半導体メモリによりＲＡＭ５６を構成するのではなく、ハードディスク記憶装置等を用いて仮想的なＲＡＭ５６を構成してもよい。本実施形態では、ＲＡＭ５６に、予約待ち行列５６ａが格納されている。
【００３４】
＜ＨＤＤ／楽曲データベース／映像データベース＞
楽曲データベース５７ａ及び映像データベース５７ｂは、大容量記憶装置であるＨＤＤ５７に格納されている。また、ＨＤＤ５７は、握力検出値一時記憶部５７ｃ、実演データ一時収録部５７ｄとしても機能する。大容量記憶装置としては、ＨＤＤ５７の他に、データを書き替え可能なＤＶＤ等を用いることができる。
楽曲データベース５７ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。
映像データベース５７ｂは、演奏される楽曲に対応した背景映像を、当該楽曲の楽曲ＩＤに対応させた映像ファイルとして所定数格納したデータベースである。
【００３５】
＜握力検出値一時記憶部／実演データ一時収録部＞
握力検出値一時記憶部５７ｃは、握力検出手段３１で検出した握力検出値を一時的に記憶するための記憶部である。握力検出値一時記憶部５７ｃに一時的に記憶された握力検出値は、カラオケ本体２１と実演収録サーバ１４とがデータ通信を行う際に、実演収録サーバ１４に送信されて、握力検出値記憶部４７に記憶される。
実演データ一時収録部５７ｄは、実演データ取得手段３２により取得した実演データを一時的に記憶するための記憶部である。実演データ一時記憶部５７ｄに一時的に記憶された実演データは、カラオケ本体２１と実演収録サーバ１４とがデータ通信を行う際に、実演収録サーバ１４に送信されて、実演データ収録部４８に収録される。
【００３６】
＜音楽曲出力手段＞
音楽曲出力手段６０は、楽曲ＩＤに基づいて楽曲データベース５７ａから抽出された演奏データをデジタル再生すると共にアナログ変換してミキシングアンプ２３に出力するための電子回路である。ミキシングアンプ２３は、マイクロホン３２ａから入力された歌唱者の歌唱音声信号と、音楽曲出力手段６０から送出される演奏音声信号とをミキシングすると共に、アンプ機能により増幅してスピーカ２４より出力させるための装置である。
【００３７】
＜マイクロホン＞
マイクロホン３２ａのグリップ部には握力検出部３１ａとして機能する圧力センサが設けられており、この圧力センサにより、利用者の握力値を検出する。圧力センサ３１ａは、外部入力インターフェース６２を介してバス５１に接続されている。
実演収録サーバ１４に設けられた握力検出値記憶手段４４では、任意の楽曲が演奏された際に、握力検出手段３１における握力検出値を、当該楽曲の演奏開始からの時系列に対応付けて、握力検出値記憶部４７に記憶させる。この際、握力検出手段３１で検出した握力検出値は、握力検出値一時記憶部５７ｃに一時的に記憶された後、実演収録サーバ１４に送信される。
【００３８】
また、マイクロホン３２ａは、利用者の歌唱音声を実演データとして取得するための実演データ取得手段３２の構成要素として機能する。マイクロホン３２ａは、Ａ／Ｄコンバータ６１を介してバス５１に接続されており、カラオケ本体２１で歌唱音声データを取り込めるようになっている。なお、マイクロホン３２ａの数は１本に限られず、２本以上であってもよい。
【００３９】
＜ビデオカメラ＞
ビデオカメラ３２ｂは、利用者の歌唱映像を実演データとして取得するための実演データ取得手段３２の構成要素として機能する。ビデオカメラ３２ｂは、ビデオ入力インターフェース６３を介してバス５１に接続されている。このビデオカメラ３２ｂは、ステージに向けて固定されたものであってもよいが、パン・チルト機構、ズーム機構、フォーカス機構を備え、歌唱者に向けて自動的にパン・チルト、ズーム、フォーカス等を行うことが可能なビデオカメラ３２ｂを用いることにより、適切な実演データを収録することができる。
【００４０】
実演収録サーバ１４に設けられた実演データ収録手段４５では、任意の楽曲が演奏された際に、実演データ取得手段３２により取得した実演データを、当該楽曲の演奏開始からの時系列に対応付けて、実演データ収録部４８に収録させる。この際、実演データ取得手段３２で取得した実演データは、実演データ一時収録部５７ｄに一時的に収録された後、実演収録サーバ１４に送信される。
【００４１】
＜再生制御手段＞
再生制御手段６４は、カラオケ演奏中に、映像データベース５７ｂから抽出した映像データ、及び楽曲データベース５７ａから抽出した楽曲データのうちの歌詞テロップデータ（歌詞文字データ）を当該楽曲の演奏データに同期させて表示手段２５に出力するための電子回路である。さらに、再生制御手段６４は、遠隔入出力端末２２を介した利用者からの操作指示による予約楽曲リストの表示等を表示手段２５に表示させる機能も有している。
【００４２】
＜表示手段＞
表示手段２５は、カラオケ演奏時の映像、歌詞テロップ等を表示するための装置で、例えば、ＣＲＴディスプレイ、液晶ディスプレイ、プラズマディスプレイ等により構成される。
【００４３】
＜予約管理手段＞
予約管理手段５９は、利用者により遠隔入出力端末２２における楽曲検索手段２２ａの機能を用いて選曲され、ローカル送受信手段５８を介して送信された当該選曲者を識別するための利用者ＩＤ、及び選曲された楽曲ＩＤを対応付けて予約待ち行列５６ａとしてＲＡＭ５６に格納し、管理するためのプログラムである。なお、楽曲選択の表示や予約待ち行列５６ａの表示は、遠隔入出力端末２２の入出力用表示部及び表示手段２５のいずれか一方、あるいは双方で行うことができる。
【００４４】
＜送受信手段＞
ローカル送受信手段５８は、遠隔入出力端末２２との間でデータの送受信を行うための電子回路及びプログラムからなる。ネットワーク送受信手段５２は、通信ネットワーク１２ａを介してホスト装置１３との間でデータの送受信を行う際に、通信ネットワーク１２ａにおける通信方式の整合性を保つための電子回路及びプログラムからなる。また、ネットワーク送受信手段５３は、通信ネットワーク１２ｂを介して実演収録サーバ１４との間でデータの送受信を行う際に、通信ネットワーク１２ｂにおける通信方式の整合性を保つための電子回路及びプログラムからなる。なお、ネットワーク送受信手段５２及びネットワーク送受信手段５３は、共通の送受信手段として構成してもよい。
【００４５】
＜ダイジェストデータの抽出／第１の実施形態＞
次に、図３を参照して、本発明の実施形態に係るダイジェストデータ抽出システムを用いて実演収録データからダイジェストデータを抽出する手順の第１の実施形態を説明する。図３は、第１の実施形態に係るダイジェストデータの抽出手順の概要を示す説明図である。
第１の実施形態に係るダイジェストデータの抽出手順は、握力検出値が上位である所定数の歌唱区間を判別し、当該歌唱区間に時系列に対応する実演データをダイジェストデータとして抽出するようにしたものである。
【００４６】
本発明のダイジェストデータ抽出システムでは、実演データ取得手段３２の構成要素として機能するマイクロホン３２ａ及びビデオカメラ３２ｂを用いて実演データを取得する。取得した実演データは、当該楽曲の演奏開始からの時系列に対応付けて、実演データ収録部４８に収録させる。
【００４７】
また、握力検出値記憶手段４４では、任意の楽曲が演奏された際に、握力検出手段３１における握力検出値を、当該楽曲の演奏開始からの時系列に対応付けて、握力検出値記憶部４７に記憶させる。本実施形態では、握力検出値記憶部４７に記憶する握力検出値は、実測握力値に基づいて演算した区間平均握力値となっている。
【００４８】
ダイジェストデータ抽出手段４６では、実演データ収録部４８に収録された任意の楽曲の実演データについて、当該楽曲の歌唱区間と非歌唱区間とを時系列に対応付ける。歌唱区間と非歌唱区間とは、タイミングデータを有する歌詞データや、テロップの色変わりデータ等に基づいて区別することができる。図３に示す例では、区間（１）〜（９）が歌唱区間として実演データに対応付けられ、前奏区間、間奏区間、後奏区間が非歌唱区間として実演データに対応付けられる。
【００４９】
そして、握力検出値が上位である所定数の歌唱区間を判別し、当該歌唱区間に時系列に対応する実演データをダイジェストデータとして抽出する。図３に示す例では、圧力検出値の順位は、第１位が歌唱区間（５）、第２位が歌唱区間（９）、第３位が歌唱区間（３）、第４位が歌唱区間（４）及び歌唱区間（７）、第５位が歌唱区間（１）、歌唱区間（６）及び歌唱区間（８）、第６位が歌唱区間（２）となっている。したがって、握力検出値が第１位の歌唱区間（５）に時系列に対応する実演データをダイジェストデータとして抽出する。
【００５０】
なお、握力検出値が上位である歌唱区間を複数特定し（例えば第１位〜第３位）、これらの歌唱区間に時系列に対応する実演データを、ダイジェストデータとして抽出してもよい。また、握力検出値の順位が同一の歌唱区間が複数存在する場合には、これらの歌唱区間に時系列に対応するすべての実演データをダイジェストデータとして抽出してもよいし、時系列的に後の歌唱区間を選択する等、予め定めた基準に従って実演データをダイジェストデータとして抽出してもよい。複数の歌唱区間に時系列的に対応する実演データをダイジェストデータとして抽出する場合には、各実演データを繋げる際に、フェードイン、フェードアウト等の処理を施すことが好ましい。
【００５１】
＜ダイジェストデータの抽出／第２の実施形態＞
次に、図４を参照して、本発明の実施形態に係るダイジェストデータ抽出システムを用いて実演収録データからダイジェストデータを抽出する手順の第２の実施形態を説明する。図４は、第２の実施形態に係るダイジェストデータの抽出手順の概要を示す説明図である。
第２の実施形態に係るダイジェストデータの抽出手順は、任意の歌唱区間における握力検出値と、前後の歌唱区間における握力検出値の平均値とを比較し、握力検出値の増加分が相対的に高い歌唱区間を判別し、当該歌唱区間に時系列に対応する実演データをダイジェストデータとして抽出するようにしたものである。
【００５２】
第２の実施形態において、実演データの取得及び収録の手順、握力検出値の取得及び記憶の手順、握力検出値として区間平均握力値を用いる事、歌唱区間と非歌唱区間との区別の方法は、上述した第１の実施形態と同様である。図４に示す例では、区間（１）〜（９）が歌唱区間として実演データに対応付けられ、前奏区間、間奏区間、後奏区間が非歌唱区間として実演データに対応付けられる。
【００５３】
そして、任意の歌唱区間における握力検出値と、前後の歌唱区間における握力検出値の平均値とを比較し、握力検出値の増加分が相対的に高い歌唱区間を判別し、当該歌唱区間に時系列に対応する実演データをダイジェストデータとして抽出する。図４に示す例では、前後の歌唱区間における握力検出値の平均値が、歌唱区間（１）では「＋２」、歌唱区間（２）では「−３」、歌唱区間（３）では「＋４」、歌唱区間（４）では「−５」、歌唱区間（５）では「＋５．５」、歌唱区間（６）では「−６」、歌唱区間（７）では「＋１」、歌唱区間（８）では「−２．５」、歌唱区間（９）では「＋４」となっている。したがって、握力検出値の増加分が相対的に高いのは歌唱区間（５）となり、歌唱区間（５）に時系列に対応する実演データをダイジェストデータとして抽出する。
【００５４】
なお、握力検出値の増加分が相対的に高い歌唱区間を上位から順に複数特定し、これらの歌唱区間に時系列に対応する実演データを、それぞれダイジェストデータとして抽出してもよい。また、握力検出値の増加分が同一の歌唱区間が複数存在する場合には、これらの歌唱区間に時系列に対応するすべての実演データを、ダイジェストデータとして抽出してもよいし、時系列的に後の歌唱区間を選択する等、予め定めた基準に従って実演データをダイジェストデータとして抽出してもよい。複数の歌唱区間に時系列的に対応する実演データをダイジェストデータとして抽出する場合には、各実演データを繋げる際に、フェードイン、フェードアウト等の処理を施すことが好ましい。
【００５５】
実演データを閲覧することができる利用者は、インターネット等の通信ネットワーク１２ｃを介して、パーソナルコンピュータ１５を実演収録サーバ１４に接続し、各実演データのダイジェストを閲覧することにより、所望の実演データを効率よく探し出すことができる。
【００５６】
＜他の実施形態＞
本発明のダイジェストデータ抽出システム及びその周辺装置を構成する機器や手段は上述したものに限定されず、ダイジェストデータ抽出システム及びカラオケシステムの利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
また、カラオケ演奏端末１１とホスト装置１３とを接続してネットワークカラオケシステムを構築するのではなく、ホスト装置１３を有しないローカルなシステムとしてもよい。さらに、ホスト装置１３と実演収録サーバ１４とを統合して一つのサーバとして構築することもできる。
【図面の簡単な説明】
【００５７】
【図１】本発明の実施形態に係るダイジェストデータ抽出システムを組み込んだカラオケシステムの概略構成を示すブロック図。
【図２】本発明の実施形態に係るダイジェストデータ抽出システムを適用するカラオケ演奏端末の構成を示すブロック図。
【図３】第１の実施形態に係るダイジェストデータの抽出手順の概要を示す説明図。
【図４】第２の実施形態に係るダイジェストデータの抽出手順の概要を示す説明図。
【符号の説明】
【００５８】
１１  カラオケ演奏端末
１２ａ、１２ｂ、１２ｃ  通信ネットワーク
１３  ホスト装置
１４  実演収録サーバ
１５  パーソナルコンピュータ
２１  カラオケ本体
２２  遠隔入出力端末
２２ａ  楽曲検索手段
２２ｂ  楽曲索引データベース
２３  ミキシングアンプ
２４  スピーカ
２５  表示手段
３１  握力検出手段
３１ａ  圧力検出部
３２  実演データ取得手段
３２ａ  マイクロホン
３２ｂ  ビデオカメラ
４１  送受信部
４２  制御手段
４３  データ処理手段
４４  握力検出値記憶手段
４５  実演データ収録手段
４６  ダイジェストデータ抽出手段
４７  握力検出値記憶部
４８  実演データ収録部
５１  バス
５２、５３  ネットワーク送受信手段
５４  中央制御手段
５５  ＲＯＭ
５６  ＲＡＭ
５６ａ  予約待ち行列
５７  ＨＤＤ
５７ａ  楽曲データベース
５７ｂ  映像データベース
５７ｃ  握力検出値一時記憶部
５７ｄ  実演データ一時収録部
５８  ローカル送受信手段
５９  予約管理手段
６０  音楽曲出力手段
６１  Ａ／Ｄコンバータ
６２  外部入力インターフェース
６３  ビデオ入力インターフェース
６４  再生制御手段
【図１】
0005132394.tif 000002
【図２】
0005132394.tif 000003
【図３】
0005132394.tif 000004
【図４】
0005132394.tif 000005